(57)【要約】【課題】  拡声通報と文字データの伝送を一度の通信で同時に送出することができる無線通信システムを提供することを目的とする。【解決手段】  操作卓を備えた親局と、少なくとも１つの子局を有する無線通信システムにおいて、前記親局から前記少なくとも１つの子局の間の無線伝送は、複数のスロットによる無線フレームの伝送形式にて送受信がされ、通常、前記複数のスロットは、下りスロットと上りスロットが割り当てられ、前記親局から前記少なくとも１つの子局へ音声データ及び文字データを同時に送信を行う場合には、前記上りスロットのうち少なくとも１つを下りスロットに割り当てことにより、音声データ及び文字データを同時に送信することを特徴とする。【選択図】  図１
2006246348.tif 000002
【特許請求の範囲】
【請求項１】
操作卓を備えた親局と、少なくとも１つの子局を有する無線通信システムにおいて、
前記親局から前記少なくとも１つの子局の間の無線伝送は、複数のスロットによる無線フレームの伝送形式にて送受信がされ、
通常、前記複数のスロットは、下りスロットと上りスロットが割り当てられ、
前記親局から前記少なくとも１つの子局へ音声データ及び文字データを同時に送信を行う場合には、前記上りスロットのうち少なくとも１つを下りスロットに割り当てことにより、音声データ及び文字データを同時に送信することを特徴とする無線通信システム。
【請求項２】
操作卓を備えた親局と、少なくとも１つの子局を有する無線通信システムにおいて、
前記親局から前記少なくとも１つの子局の間の無線伝送は、複数のスロットによる無線フレームの伝送形式にて送受信がされ、
通常、前記複数のスロットは、下りスロットと上りスロットが割り当てられ、
該下りスロットと上りスロットの各々には制御用スロットとデータ用スロットを含み、
前記親局から前記少なくとも１つの子局へ音声データ及び文字データを同時に送信を行う場合には、前記上りスロットのうち少なくとも１つのデータ用スロットを下りのデータ用スロットに割り当てことにより、音声データ及び文字データを同時に送信することを特徴とする無線通信システム。
【請求項３】
前記親局は無線通信制御を行う少なくとも１つの無線局を含み、
該無線局は前記操作卓より音声データと文字データとの同時送信を行う旨の信号を受信すると、前記スロットの割り当てを行うことを特徴とする前記請求項１または請求項２に記載の無線通信システム。
【請求項４】
前記親局より前記子局に対して一斉指令の通報情報を無線送信し、これを受信した子局が前記親局から受信した一斉指令の通報情報を受令して出力する場合に前記スロットの割り当てを行うことを特徴とする防災行政用の前記請求項１乃至請求項３に記載の無線通信システム。
【発明の詳細な説明】
【技術分野】
【０００１】
本発明は、親局装置から子局装置へ通報情報を無線により送信する無線通信システムに関し、特に、通報情報である拡声音声情報と文字情報を同時に送信及び受信する同報系の無線通信システムに関するものである。
【背景技術】
【０００２】
例えば、市町村デジタル同報通信システムや県防災無線システム等の防災行政無線システムなどの同報無線システムでは、親局装置から子局装置へ音声や文字データの一斉指令（通報）を発し、子局装置がこれを受信し、音声情報の場合はスピーカより再生し、文字データの場合は記憶や表示再生することが行われている。
【０００３】
図２は、上記従来の無線システムの動作例を示す。
この図において、１は親局操作卓、２は無線送受信装置、３は子局を示し、また、スピーカ４と文字表示装置５が子局３に備えられている。
親局操作卓１は、無線送受信装置２に対し、呼出（拡声）信号を送出し、無線送受信装置２は子局３に対し、放送開始指示（拡声）信号を送出する。
放送開始指示（拡声）信号を受信した子局３は、スピーカアンプを起動し、音声ラインをスピーカ４に接続する。
親局操作卓１は選択された音源の音を無線送受信装置２へ送出し、無線送受信装置２は、規定のＣＯＤＥＣに変換した音声データを無線回線のスロットタイミングに乗せ替え子局３へ送出する。
通報が終了したら親局操作卓１は、無線送受信装置２へ終話信号を送出し、無線送受信装置２は、子局３に対し、強制切断信号を送出する。
強制切断信号を受信した子局３は待受け状態となり、引続き親局操作卓１から無線送受信装置２に対し、呼出（文字）信号を送出し、無線送受信装置２は子局３に対し、放送開始放送開始指示（文字）信号を送出する。
放送開始指示（文字）信号を受信した子局３は、文字表示装置５へ文字データを出力待機状態となる。
親局操作卓１は、無線送受信装置２へ文字データを送出し、無線送受信装置２は、無線回線のスロットタイミングに文字データを乗せ変え子局３へ送出する。
これを受信した子局３は、文字表示装置５へ文字データを出力する。
文字データの送出を終えた親局操作卓１は、無線送受信装置２へ終話信号を送出し、無線送受信装置２は、子局３に対し、強制切断信号を送出する。
強制切断信号を受信した子局３は通報を終了し、待受け状態となる。
このように、一斉指令を音声と文字情報の両方を送信したい場合、拡声通報の送信後一度終話し、再び文字伝送通報を起動しなければならないため、同時に音声と文字データとを送信することができない。
上記従来の無線通信システムとして、例えば、非特許文献１に示すシステムがある。
【０００４】
【非特許文献１】市町村デジタル同報通信システム  標準規格  ＡＲＩＢ  ＳＴＤ−Ｔ８６（社団法人  電波産業会）
【発明の開示】
【発明が解決しようとする課題】
【０００５】
前記従来技術では、拡声通報（音声）と文字データとを同時に送出することが出来ないため、２度の通信制御により拡声通報と文字データの伝送を行っていた。
特に、防災行政無線システムにおける防災情報の場合には、2度の通信制御を完了するまでの遅延や、通信制御の間回線を専有してしまうことによる他の行政放送の遅延や低下を招く恐れがあった。
【０００６】
本発明は、このような従来の事情に鑑み為されたもので、拡声通報と文字データの伝送を一度の通信で同時に送出することができる無線通信システムを提供することを目的とする。
【課題を解決するための手段】
【０００７】
上記従来の問題点を解決するため請求項１に記載の発明は、操作卓を備えた親局と、少なくとも１つの子局を有する無線通信システムにおいて、前記親局から前記少なくとも１つの子局の間の無線伝送は、複数のスロットによる無線フレームの伝送形式にて送受信がされ、通常、前記複数のスロットは、下りスロットと上りスロットが割り当てられ、前記親局から前記少なくとも１つの子局へ音声データ及び文字データを同時に送信を行う場合には、前記上りスロットのうち少なくとも１つを下りスロットに割り当てことにより、音声データ及び文字データを同時に送信することを特徴とする。
【０００８】
上記従来の問題点を解決するため請求項２に記載の発明は、操作卓を備えた親局と、少なくとも１つの子局を有する無線通信システムにおいて、前記親局から前記少なくとも１つの子局の間の無線伝送は、複数のスロットによる無線フレームの伝送形式にて送受信がされ、通常、前記複数のスロットは、下りスロットと上りスロットが割り当てられ、該下りスロットと上りスロットの各々には制御用スロットとデータ用スロットを含み、前記親局から前記少なくとも１つの子局へ音声データ及び文字データを同時に送信を行う場合には、前記上りスロットのうち少なくとも１つのデータ用スロットを下りのデータ用スロットに割り当てことにより、音声データ及び文字データを同時に送信することを特徴とする。
【０００９】
上記従来の問題点を解決するため請求項３に記載の発明は、前記請求項１または請求項２に記載の無線通信システムであって、前記親局は無線通信制御を行う少なくとも１つの無線局を含み、該無線局は前記操作卓より音声データと文字データとの同時送信を行う旨の信号を受信すると、前記スロットの割り当てを行うことを特徴とする。
【００１０】
上記従来の問題点を解決するため請求項４に記載の発明は、防災行政用の前記請求項１乃至請求項３に記載の無線通信システムであって、前記親局より前記子局に対して一斉指令の通報情報を無線送信し、これを受信した子局が前記親局から受信した一斉指令の通報情報を受令して出力する場合に前記スロットの割り当てを行うことを特徴とする。
【００１１】
例えば、無線通信システムは、アナログ或いはデジタルの同報無線システム、固定系システム、市町村デジタル同報通信システム、防災行政無線システムなどに適用される。
【発明の効果】
【００１２】
本発明によると、拡声通報と文字データの伝送を一度の通信で同時に送出することができる無線通信システムとすることができる。
【発明を実施するための最良の形態】
【００１３】
本発明に係る一実施例を図面を参照して説明する。
本実施例では、災害時などに行政機関などから住民へ災害関連情報等を告知する同報無線システムや、このような同報無線システムの通信機器や通信方法に、本発明を適用した場合を示す。
また、本実施例では、固定系デジタル無線システムに、本発明を適用した場合を示す。
具体的には、本実施例では、固定系デジタルの同報無線システムにおいて、音声情報と文字情報とを同時に伝送する場合を示す。
【００１４】
図３は、本発明の実施の形態に係る無線通信システムのブロック構成を示す実施例である。
親局装置である親局操作卓１と無線送受信装置２、子局装置である複数の子局３（図面では１つのみ）とより構成される。
子局３には、スピーカ４と文字表示装置５が接続されている。
親局操作卓１は、マイクやテープレコーダ等の音声入力手段と、文字情報を入力する文字伝送ＰＣと、システム全体を制御する主制御部とより構成され、例えば、文字伝送ＰＣは汎用的なパソコン等でもよい。
【００１５】
無線送受信機２は、入力される音声情報を増幅し、デジタル信号に変換するＡ／Ｄ変換部と、所定の音声コーデックを行うコーデック部と、無線データ用にコーデックした音声信号の制御を行うハイウェイ制御部とを備え、また、入力される文字情報を所定のシリアルデータとするシリアルインタフェースと、これを無線データ用信号としての制御を行うハイウェイ制御部と備え、また、各種データの送受信を切り分ける送受信（ＴＲＸ）部と、送信増幅を行う増幅（ＰＡ）部と、アンテナと、本無線送受信装置を制御する全体制御部と、などより構成される。
ここで、無線送受信機２（図中）の「Ｈｉｇｈｗａｙ」で示されるものは、例えば、無線送受信機２を複数設置した場合や、別に中継装置を設置した場合などに、送受信される各種データを他の無線送受信機や中継装置との間でやり取りするための回線を示している。また、ハイウェイ制御部は音声用と文字用とを１つのハイウェイ制御部とするものでもよい。
【００１６】
子局３は、アンテナと、各種データの送受信を切り分ける送受信（ＴＲＸ）部と、送信を行う場合の増幅（ＰＡ）部とを備え、また、受信した音声データの制御を行うハイウェイ制御部と、受信した音声データを音声用信号とするコーデック部と、これをアナログ変換するＤ／Ａ変換部とを備え、また、受信した文字データの制御を行うハイウェイ制御部と、これを表示するためのシリアルデータとするシリアルインタフェースとを備え、さらに本子局を制御する全体制御部と、などより構成される。
ここで、子局３（図中）の「Ｈｉｇｈｗａｙ」で示されるものは、例えば、子局２を複数設置した場合などに、送受信される各種データを他の子局との間でやり取りするための回線を示している。また、ハイウェイ制御部は音声用と文字用とを１つのハイウェイ制御部とするものでもよい。
【００１７】
図１は、本発明の実施の形態に係る無線通信システムの動作シーケンスの一実施例を示す。
この図では各装置間の信号の授受を示しており、親局操作卓１と無線送受信装置２、子局３で構成される。
親局操作卓１は、無線送受信装置２に対し、拡声音声情報と文字情報であることを示す旨の呼出信号を送出する。
これを受信した無線送受信装置２は子局３に対し、拡声音声情報と文字情報であることを示す旨の放送開始指示（拡声＋文字）信号を送出する。
親局操作卓１は、選択された音源の音（音声）と文字データを無線送受信装置２へ送出し、無線送受信装置２は、音声を規定のＣＯＤＥＣに変換した音声データを無線回線のスロット１，２，４，５に乗せ、同時に文字データをスロット３へ乗せ、子局３へ送出する。
これを受信した子局３はスロット１，２，４，５のデータを音声に変換し、スピーカ４へ出力する。
さらに、これと同時にスロット３のデータを文字表示装置５へ出力する。
拡声通報及び文字伝送が終了した親局操作卓１は、無線送受信装置２へ終話信号を送出し、無線送受信装置２は、子局３に対し、強制切断信号を送出する。
強制切断信号を受信した子局３は通報を終了し、待受け状態となる。
【００１８】
図４は、本発明の実施の形態に係る無線送信フレームのスロット構成の一実施例を示し、図４（１）は全スロットを下り用スロットに割り当てた場合、図４（２）は一部の上りスロットを下り用スロットに割り当てた場合、を示す。
この図４（１）は、上述した図１、図３の無線通信システムでの無線送受信装置２から子局３に対する音声データと文字データとを同時に送信する場合の送信フレームのスロット構成を示しており、6スロットを1フレームとする無線フレームのうち、「ＣＨ０」スロットは制御用スロットとし、他の５スロット（ＣＨ１〜ＣＨ５）を送信スロットに割り当てることにより、音声と文字との同時送信を行うようにしている。
まず、無線送受信装置２、子局３共に待ち受け時の場合には、ＣＨ０〜ＣＨ２の３スロットを下り用（無線送受信装置２から子局３へ）、ＣＨ３〜ＣＨ５の３スロットを上り用（子局３から無線送受信装置２へ）、とスロット割り当てがされており、ＣＨ０とＣＨ３をそれぞれ制御用スロットとしている。
親局操作卓１より拡声音声情報と文字情報であることを示す旨の呼出信号を送出し、無線送受信装置２がこれを受信すると、無線送受信装置２はＣＨ０〜ＣＨ２のスロットにより、拡声音声情報と文字情報であることを示す旨の放送開始指示（拡声＋文字）信号を子局３に送出する。
そして、無線送受信装置２、子局３共に、図４（１）に示すスロット割り当てを行うことで、親局操作卓１より拡声音声情報と文字情報とが送出され、無線送受信装置２が当該スロット割り当てに基づく送信を行い、子局３が当該スロット割り当てに基づいて受信し、子局３に接続されたスピーカ４及び文字表示装置５より、それぞれ音声出力、文字表示がされることとなる。
このように、「ＣＨ０」スロットを下り回線用の制御用スロットとし、他のスロット（ＣＨ１〜５）を送信スロットとして割り当てることで、伝送容量の多い、音声情報だけでなく、画像情報等の伝送容量を多く使用するようなデータ送信の場合にも、１度の送信処理にて無線配信を行うことができる。
【００１９】
この図４（２）は、上述した図１、図３の無線通信システムでの無線送受信装置２から子局３に対する音声データと文字データとを同時に送信する場合の送信フレームのスロット構成を示しており、6スロットを1フレームとする無線フレームのうち、「ＣＨ０」スロットは下り回線用の制御用スロット、「ＣＨ３」スロットは上り回線用の制御用スロット、とし、「ＣＨ１、２、５」を下り送信スロットに割り当てることにより、音声と文字との同時送信を行うようにしている。
無線送受信装置２、子局３共に待ち受け時の場合には、ＣＨ０〜ＣＨ２の３スロットを下り用（無線送受信装置２から子局３へ）、ＣＨ３〜ＣＨ５の３スロットを上り用（子局３から無線送受信装置２へ）、とスロット割り当てがされており、ＣＨ０とＣＨ３をそれぞれ制御用スロットとしている。
親局操作卓１より拡声音声情報と文字情報であることを示す旨の呼出信号を送出し、無線送受信装置２がこれを受信すると、無線送受信装置２はＣＨ０〜ＣＨ２のスロットにより、拡声音声情報と文字情報であることを示す旨の放送開始指示（拡声＋文字）信号を子局３に送出する。
そして、無線送受信装置２、子局３共に、図４（２）に示すスロット割り当てを行うことで、親局操作卓１より拡声音声情報と文字情報とが送出され、無線送受信装置２が当該スロット割り当てに基づく送信を行い、子局３が当該スロット割り当てに基づいて受信し、子局３に接続されたスピーカ４及び文字表示装置５より、それぞれ音声出力、文字表示がされることとなる。
また、「ＣＨ３」スロットは上り回線用の制御用スロット、とし、「ＣＨ４」を下り回線の送信スロットに割り当てることにより、子局３からの緊急時等のための上り回線を最低限確保しておくこととなる。
このように、「ＣＨ０」スロットは下り回線用の制御用スロット、「ＣＨ３」スロットは上り回線用の制御用スロット、とし、他の４スロット（ＣＨ１、２、４、５）をデータの伝送容量に基づいて適宜、送信スロットとして割り当てることもできる。
【００２０】
以上のように、本例の無線システムでは、親局操作卓１と無線送受信装置２（図示しない中継装置を含む）より構成される親局側と、子局側（子局３、スピーカ４、文字表示装置５）との間で、親局側から子局側に対して同報通信（一斉通報）を実行する際に、音声データと文字データとを同時に送信することができる。
すなわち、本発明の実施の形態によれば、親局操作卓及び無線送受信装置と複数の子局からなり、親局操作卓から拡声通報を起動し、子局にて拡声通報を行う市町村防災デジタル同報系システムにおいて、拡声音声情報と文字情報を同時に送出及び受信を行う拡声通報方式とすることができる。
【００２１】
本発明によれば、親局操作卓で音声と文字データを同時に出力する機能を付加し、無線送受信装置には、拡声通報時の空きスロットに文字データを乗せ、同時に拡声音声情報と文字情報を同時に送信する機能を付加し、また、子局では拡声音声情報と文字情報を同時に受信する機能を付加することにより、従来の市町村デジタル同報無線システムにおいては拡声通報と文字伝送を一度の通信で行うことができなかったことを、本発明によって拡声通報と文字伝送を一度の通信で同時に行うことできるものである。。
すなわち、本発明では、親局操作卓で音声と文字データを同時に出力する機能を付加し、無線送受信装置には、拡声通報時の空きスロットに文字データを乗せ、同時に拡声音声情報と文字情報を同時に送信する機能を付加し、また、子局では拡声音声情報と文字情報を同時に受信する機能を付加することで、一度の通信で拡声通報と文字伝送を同時に行うことができる。
例えば、本発明による無線通信システムとして、市町村防災デジタル同報系システムにおいて、一度の通信で拡声通報と文字伝送を同時に行うことができ、効果的な防災行政を行うことができる。
【００２２】
ここで、本発明に係る無線通信システムや親局装置や子局装置の構成としては、必ずしも以上に示したものに限られず、種々な構成が用いられてもよい。
また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
例えば、音声の情報を通信するものばかりでなく、テキストや画像などの種々な情報を通信するものに適用することも可能である。
【００２３】
また、本発明に係る無線通信システムや親局装置や子局装置において行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２４】
【図１】本発明の実施の形態に係る無線通信システムの動作シーケンスの一実施例を示す。
【図２】上記従来の無線システムの動作例を示す。
【図３】本発明の実施の形態に係る無線通信システムのブロック構成を示す実施例である。
【図４】本発明の実施の形態に係る無線送信フレームのスロット構成の一実施例を示し、（１）は全スロットを下り用スロットに割り当てた場合、（２）は一部の上りスロットを下り用スロットに割り当てた場合、を示す。
【符号の説明】
【００２５】
１：親局操作卓、２：無線送受信装置、３：子局、４：スピーカ、５：文字表示装置。
【図１】
2006246348.tif 000003
【図２】
2006246348.tif 000004
【図３】
2006246348.tif 000005
【図４】
2006246348.tif 000006